(57)【特許請求の範囲】
【請求項１】
ハンドスキャナと、記録紙収納カセット及び収納カバーからなり、記録紙を収納する給紙トレーと、を有する画像記録装置において、
前記収納カバーは、光透過性を有する素材からなり、平坦面を有し、前記記録紙収納カセットに対して着脱自在に設けられており、
前記収納カバーは、前記記録紙収納カセットから取り外した状態においては、前記ハンドスキャナで対象物のスキャニングを行う際に、前記平坦面が上を向くように前記対象物の上に載せられ、その状態の下に、前記ハンドスキャナで前記平坦面上をスキャニングすることを特徴とする画像記録装置。
【請求項２】
前記収納カバーの前記平坦面上には、前記ハンドスキャナによりスキャニングする方向に延びるガイド部材が形成されており、前記ハンドスキャナを前記ガイド部材に当接させた状態の下に前記対象物をスキャニングすることを特徴とする請求項１に記載の画像記録装置。
【請求項３】
ハンドスキャナと、記録紙を収納する給紙トレーと、を有する画像記録装置における前記給紙トレーを構成する収納カバーであって、
前記収納カバーは、光透過性を有する素材からなり、平坦面を有し、前記記録紙収納カセットに対して着脱自在に設けられており、
前記収納カバーは、前記記録紙収納カセットから取り外した状態においては、前記ハンドスキャナで対象物のスキャニングを行う際に、前記平坦面が上を向くように前記対象物の上に載せられ、その状態の下に、前記ハンドスキャナで前記平坦面上をスキャニングするものである収納カバー。
【請求項４】
前記平坦面上には、前記ハンドスキャナによりスキャニングする方向に延びるガイド部材が形成されており、前記ハンドスキャナを前記ガイド部材に当接させた状態の下に前記対象物をスキャニングすることを特徴とする請求項３に記載の収納カバー。
【発明の詳細な説明】
【０００１】
【発明の属する技術分野】
本発明は、ハンドスキャナを有するファクシミリ装置その他の画像記録装置に関し、特に、記録紙を収納する給紙トレー用の収納カバーに関する。
【０００２】
【従来の技術】
一般に、ファクシミリ装置に代表される画像記録装置には、記録紙を画像記録装置内に供給するための給紙トレーが設けられている。このような給紙トレーを備えた画像記録装置として、これまでに多くのファクシミリ装置が提案されている。例えば、特開平１１−１５０６２６号公報、特開２００１−８６２９０号公報、特開平５−２２４８１号公報などである。これらのファクシミリ装置の一例を図８に示す。
【０００３】
図８に示すファクシミリ装置は、装置本体５０と、受話器５１と、ハンドスキャナ５４と、給紙トレー５５と、を備えている。
【０００４】
装置本体５０の中央から左側には受話器支持部５２が設けられており、受話器５１は受話器支持部５２上に置かれている。また、装置本体５０の中央から右側には操作パネル５３が設けられており、操作パネル５３には本ファクシミリ装置の操作用の各種ボタンが配置されている。
【０００５】
装置本体５０の前方部には、ハンドスキャナ５４が取り外し自在に装着されている。
【０００６】
また、給紙トレー５５は、装置本体５０の後方部において、記録紙を載置するための載置面５６を上方に向けて、装置本体５０に取り付けられている。
【０００７】
給紙トレー５５の先端には、給紙トレー５５の先端からはみ出た記録紙を支持することができるように、補助トレー５７が矢印の方向にスライド可能に取り付けられている。
【０００８】
このような構造を有するファクシミリ装置により、ある情報をファックス送信する場合には、ハンドスキャナ５４を装置本体５０から取り外し、その情報が記載されている紙、シートその他の媒体をハンドスキャナ５４でスキャニングする。このように、ハンドスキャナ５４により読み取られた情報はファクシミリ装置から相手方のファクシミリ装置に送信される。
【０００９】
【発明が解決しようとする課題】
図９に、ハンドスキャナ５４の底面側を示す。図９に示すように、ハンドスキャナ５４の底面には、複数個のローラ５４ａが配列されている。ファックス送信の対象物をスキャニングする際には、このローラ５４ａが対象物上において回転することにより、ハンドスキャナ５４の移動量が検知される。
【００１０】
このため、紙その他の平坦な物をスキャニングする際には、ローラ５４ａが正常に回転するため、ローラ５４ａの回転量は正確にハンドスキャナ５４の移動量を反映する。
【００１１】
これに対して、図１０に示すように、本６０や布などの凹凸のある素材をハンドスキャナ５４で読みとろうとすると、ローラ５４ａが凹部となっている領域６１においては接地することができなくなるため、ローラ５４ａの回転量とハンドスキャナ５４の移動量とが一致しなくなり、その結果として、読み取った画像がゆがんでしまうという問題点があった。
【００１２】
薄紙やしわの有る素材をハンドスキャナ５４で読む場合には、従来、キャリアシートと呼ばれる補助具が用いられてきた。キャリアシートとは、台紙とポリプロピレン等の薄い透明シートとを重ね合わせ、それらの１辺を貼り合わせてなるものである。しわのある素材はこのキャリアシートの中に挟み込み、その上からハンドスキャナ５４で読み取るということを行っていた。
【００１３】
しかしながら、キャリアシートはファクシミリ装置とは別体のものであるため、紛失しやすく、さらには、厚みの有る本をスキャニングするような場合には役に立たなかった。
【００１４】
本発明は以上のようなハンドスキャナを有する従来のファクシミリ装置における問題点に鑑みてなされたものであり、本などの凹凸のある物をハンドスキャナで正確にスキャニングすることが可能な画像記録装置及び画像記録装置用収納カバーを提供することを目的とする。
【００１５】
【課題を解決するための手段】
この目的をを達成するため、本発明は、ハンドスキャナと、記録紙収納カセット及び収納カバーからなり、記録紙を収納する給紙トレーと、を有する画像記録装置において、前記収納カバーは、光透過性を有する素材からなり、平坦面を有し、前記記録紙収納カセットに対して着脱自在に設けられており、前記収納カバーは、前記記録紙収納カセットから取り外した状態においては、前記ハンドスキャナで対象物のスキャニングを行う際に、前記平坦面が上を向くように前記対象物の上に載せられ、その状態の下に、前記ハンドスキャナで前記平坦面上をスキャニングすることを特徴とする画像記録装置を提供する。
【００１６】
前記収納カバーの前記平坦面上には、前記ハンドスキャナによりスキャニングする方向に延びるガイド部材が形成されていることが好ましい。この場合、前記ハンドスキャナを前記ガイド部材に当接させた状態の下に前記対象物をスキャニングする。
【００１７】
また、本発明は、ハンドスキャナと、記録紙を収納する給紙トレーと、を有する画像記録装置における前記給紙トレーを構成する収納カバーであって、前記収納カバーは、光透過性を有する素材からなり、平坦面を有し、前記記録紙収納カセットに対して着脱自在に設けられており、前記収納カバーは、前記記録紙収納カセットから取り外した状態においては、前記ハンドスキャナで対象物のスキャニングを行う際に、前記平坦面が上を向くように前記対象物の上に載せられ、その状態の下に、前記ハンドスキャナで前記平坦面上をスキャニングするものである収納カバーを提供する。
【００１８】
前記平坦面上には、前記ハンドスキャナによりスキャニングする方向に延びるガイド部材が形成されていることが好ましい。この場合、前記ハンドスキャナを前記ガイド部材に当接させた状態の下に前記対象物をスキャニングする。
【００１９】
【発明の実施の形態】
図１は、本発明の一実施形態に係る画像記録装置としてのファクシミリ装置１の斜視図である。
【００２０】
本実施形態に係るファクシミリ装置１は、装置本体１０と、受話器１１と、ハンドスキャナ１４と、給紙トレー１５と、を備えている。
【００２１】
装置本体１０の左側端部には受話器支持部（図示せず）が設けられており、受話器１１は受話器支持部上に置かれている。また、装置本体１０の左側上方にはディスプレイパネル１６が配置されている。装置本体１０のほぼ全面にわたって操作パネル１３が設けられており、操作パネル１３には本ファクシミリ装置の操作用の各種ボタンが配置されている。
【００２２】
装置本体１０の前方部には、ハンドスキャナ１４が取り外し自在に装着されている。
【００２３】
また、給紙トレー１５は、装置本体１０の後方部において、装置本体１０に取り付けられている。
【００２４】
図２は、給紙トレー１５の分解斜視図である。
【００２５】
図２に示すように、給紙トレー１５は、記録紙１７を収納する記録紙収納カセット１８と、記録紙収納カセット１８に対して着脱自在に取り付けられている収納カバー１９とからなっている。収納カバー１９は、記録紙収納カセット１８に収納されている記録紙１７に塵が付くことを防止する防塵カバーとしても機能する。
【００２６】
収納カバー１９は光透過性を有する素材からなっている。光透過性を有する素材としては、例えば、アクリルやガラスなどの透明な素材を用いることができる。
【００２７】
また、収納カバー１９の２つの面のうち、記録紙収納カセット１８に対向する面１９ａは平坦面として形成されている。さらに、収納カバー１９には、その長手方向の一端において、平坦面１９ａの側から直角に曲げられた壁部１９ｂが形成されている。壁部１９ｂは収納カバー１９の幅方向の全長にわたって延びている。
【００２８】
次いで、上述の実施形態に係るファクシミリ装置１の使用方法を以下に説明する。
【００２９】
図３に示すように、本６０などの凹凸のある素材をハンドスキャナ１４で読み取る場合には、先ず、収納カバー１９を記録紙収納カセット１８から取り外し、本６０の上に収納カバー１９をかぶせる。この際、平坦面１９ａが上を向くようにする。
【００３０】
次いで、図４に示すように、収納カバー１９を本６０に対して密着させる。この際、本６０の凹凸がなくなる程度に強く収納カバー１９を本６０に押しつけることが好ましい。
【００３１】
次いで、図５に示すように、収納カバー１９上にハンドスキャナ１４を載せ、本６０をスキャニングする。
【００３２】
以上のように、本実施形態に係るファクシミリ装置１によれば、本６０や布その他の表面に凹凸がある素材をスキャニングする際には、収納カバー１９をそれらの素材の上に載せた後に、スキャニングを行う。収納カバー１９を素材上に載せる際には、平坦面１９ａが上を向くようにする。このため、ハンドスキャナ１４は平坦面１９ａを移動することになるため、凹凸のある表面を移動する場合とは異なり、ハンドスキャナ１４の底面に取り付けられているローラ（図９のローラ５４ａ参照）が正常に回転する。このため、ローラの回転量は正確にハンドスキャナ１４の移動量を反映することになり、従来のファクシミリ装置における問題点、すなわち、ローラが正常に回転せず、そのために、ローラの回転量とハンドスキャナの移動量とが一致せず、結果的に、画像にゆがみが生じるという問題点を解決することができる。
【００３３】
特に、厚みのある本は、それを開いたときに、大きな凹凸を形成するため、上述の画像のゆがみという問題点が顕著に表れたが、本実施形態に係るファクシミリ装置１によれば、厚みのある本であっても、正確にスキャニングすることが可能である。
【００３４】
また、本実施形態における収納カバー１９は、上述のキャリアシートのように、ファクシミリ装置と別体のパーツではなく、本ファクシミリ装置１を構成する構成部品の一つであるので、紛失のおそれはなく、また、別途用意する必要もない。
【００３５】
図６は、収納カバー１９の他の使用方法を示す斜視図である。
【００３６】
収納カバー１９の平坦面１９ａを上に向けて本６０の上に載せた場合、壁部１９ｂも同様に上方を向く。このため、図６に示すように、収納カバー１９を、壁部１９ｂが延びる方向とハンドスキャナ１４の移動方向２０とが一致するように、本６０の上に載せることによって、壁部１９ｂをハンドスキャナ１４に対するガイド部材として使用することができる。
【００３７】
すなわち、ハンドスキャナ１４の一方の側面を壁部１９ｂに当接させたまま、ハンドスキャナ１４を移動方向２０に移動させることにより、ハンドスキャナ１４を直線的に移動させることができ、ハンドスキャナ１４の移動ぶれを防止することができる。
【００３８】
図７は、壁部６ｂの他の構成例を示す斜視図である。
【００３９】
上述の第一の実施形態においては、壁部１９ｂは収納カバー１９の一端において形成されたが、壁部１９ｂの位置は収納カバー１９の一端には限定されない。図７に示すように、収納カバー１９の端部から収納カバー１９の中央に向かって離れた位置に形成することも可能である。
【００４０】
また、上述の第一の実施形態においては、壁部１９ｂは収納カバー１９の幅方向の全長にわたって形成されていたが、収納カバー１９の長さはそれに限定されるものではなく、図７に示すように、収納カバー１９の長さよりも短く設定することも可能である。
【００４１】
さらには、上述の第一の実施形態においては、壁部１９ｂは収納カバー１９の長手方向と直交する方向、すなわち、収納カバー１９の幅方向において延びるものとして形成されていたが、図７に示すように、収納カバー１９の長手方向と平行に延びるものとして形成することも可能である。
【００４２】
また、収納カバー１９は、アクリルやガラスの他に、ポリスチレンやＡＢＳなどの透明な硬質プラスチックで構成することもできる。
【００４３】
なお、上述の実施形態は本発明の適用例としてファクシミリ装置を挙げたが、本発明の適用例はファクシミリ装置に限定されるものではなく、ハンドスキャナを有するあらゆる種類の画像記録装置に適用することが可能である。
【００４４】
【発明の効果】
以上のように、本発明に係る画像記録装置によれば、本や布その他の表面に凹凸がある素材をスキャニングする際には、平坦面が上を向くようにして収納カバーをそれらの素材の上に載せた後に、スキャニングを行う。このため、ハンドスキャナは平坦面上を移動することになるため、凹凸のある表面を移動する場合とは異なり、ハンドスキャナの底面に取り付けられているローラが正常に回転する。その結果として、ローラの回転量は正確にハンドスキャナの移動量を反映することになり、従来のファクシミリ装置における問題点、すなわち、ローラが正常に回転せず、そのために、ローラの回転量とハンドスキャナの移動量とが一致せず、結果的に、画像にゆがみが生じるという問題点を解決することができる。
【００４５】
本発明に係る画像記録装置は、特に、厚みのある本をスキャニングするときに有効である。
【００４６】
また、ハンドスキャナの一方の側面をガイド部材に当接させたまま、ハンドスキャナを移動させることにより、ハンドスキャナを直線的に移動させることができ、ハンドスキャナの移動ぶれを防止することができる。
【図面の簡単な説明】
【図１】本発明の一実施形態に係る画像記録装置としてのファクシミリ装置の斜視図である。
【図２】給紙トレーの分解斜視図である。
【図３】本発明の一実施形態に係る画像記録装置としてのファクシミリ装置の使用方法を示す斜視図である。
【図４】本発明の一実施形態に係る画像記録装置としてのファクシミリ装置の使用方法を示す斜視図である。
【図５】本発明の一実施形態に係る画像記録装置としてのファクシミリ装置の使用方法を示す斜視図である。
【図６】本発明の一実施形態に係る画像記録装置としてのファクシミリ装置の他の使用方法を示す斜視図である。
【図７】ガイド部材の他の構成例を示す斜視図である。
【図８】従来のファクシミリ装置の斜視図である。
【図９】従来のファクシミリ装置におけるハンドスキャナの底面側から見た斜視図である。
【図１０】従来のファクシミリ装置の使用方法を示す斜視図である。
【符号の説明】
１  本発明の一実施形態に係る画像記録装置としてのファクシミリ装置
１０  装置本体
１１  受話器
１３  操作パネル
１４  ハンドスキャナ
１５  給紙トレー
１６  ディスプレイパネル
１７  記録紙
１８  記録紙収納カセット
１９  収納カバー
１９ａ  平坦面
１９ｂ  壁部
２０  ハンドスキャナの移動方向
【図１】
0003597174.tif 000002
【図２】
0003597174.tif 000003
【図３】
0003597174.tif 000004
【図４】
0003597174.tif 000005
【図５】
0003597174.tif 000006
【図６】
0003597174.tif 000007
【図７】
0003597174.tif 000008
【図８】
0003597174.tif 000009
【図９】
0003597174.tif 000010
【図１０】
0003597174.tif 000011